(57)【要約】【課題】筐体内の配線により筐体の大型化を招くことのない携帯端末を提供する。【解決手段】カバーリブ３２の突出方向の先端部にカバー段差部３４を形成し、ケースリブ３１における電池収容部２２３とは反対側の基端部にケース段差部３５を設けてカバー段差部３４に係合させたので、筐体２０の長手方向の位置決めができる。カバーリブ３２におけるケースリブ３１とは反対側の外面に、カバーリブ３２の突出方向に沿って第１凸部３６を設け、ケース２１の内面において第１凸部３６に対してカバーリブ３２の突出方向に沿って線接触する第２凸部３７を設けた。これにより、筐体２０の幅方向位置決めができる。カバーリブ３２におけるケースリブ３１側の内面に爪部３８を設け、ケースリブ３１における電池収容部２２３とは反対側の外面に、爪部３８に係合する爪凹部３９を設けたので、ケース２１とカバー２２を確実に取り付けることができる。【選択図】図３
2013106196.tif 000002
【特許請求の範囲】
【請求項１】
ケースおよびカバーを有する筐体と、
前記筐体に電池パックを収容可能な電池収容部と、
前記筐体における前記電池収容部に隣接する位置に収容された第１回路基板と、
前記筐体における前記電池収容部に隣接し、かつ、前記第１回路基板とは反対側の位置に収容された第２回路基板と、
前記ケースにおける前記電池収容部に隣接する位置に設けられ、前記カバーに向かって突出するケースリブと、
前記カバーにおける前記ケースリブに隣接する位置に設けられ、前記ケースに向かって突出するとともに前記第１回路基板と前記第２回路基板との間に連続するカバーリブと、
前記カバーリブの突出方向先端部に形成され、かつ、前記カバーリブの連続方向に沿う溝部と、
前記溝部に収容され、前記第１回路基板および前記第２回路基板のうちの少なくとも一方に接続される電線と、
前記カバーリブの突出方向の先端部に形成されたカバー段差部と、
前記ケースリブにおける前記電池収容部とは反対側の基端部に設けられて前記カバー段差部に係合するケース段差部と、
前記カバーリブにおける前記ケースリブとは反対側の外面に設けられ、前記カバーリブの突出方向に沿う第１凸部と、
前記ケースの内面に設けられ、前記第１凸部に対して前記カバーリブの突出方向に沿って線接触する第２凸部と、
前記カバーリブにおける前記ケースリブ側の内面に設けられた爪部と、
前記ケースリブにおける前記電池収容部とは反対側の外面に設けられ、前記爪部に係合する爪凹部と、を備える携帯端末。
【請求項２】
請求項１に記載の携帯端末において、
前記カバー段差部は凹状であるとともに、前記ケース段差部が前記カバー段差部に挿入される凸状であり、かつ、前記溝部は前記電線が前記カバー段差部から露出しない溝深さ寸法である携帯端末。
【請求項３】
請求項１または請求項２に記載の携帯端末において、
前記ケースに設けられ、前記電池収容部に連通する開口と、
前記開口を開閉可能に封鎖する電池蓋と、
前記電池蓋に設けられた係止片と、
前記ケースリブにおける前記電池収容部側の内面に設けられ、前記係止片が係合する係止凹部とを有する携帯端末。
【請求項４】
請求項１ないし請求項３のうちのいずれか１項に記載の携帯端末において、
前記カバーにインサート成形された板金部材を有し、
前記溝部が前記板金部材に接触しない携帯端末。
【発明の詳細な説明】
【技術分野】
【０００１】
本発明は、筐体内部に配線を有する携帯端末に関するものである。
【背景技術】
【０００２】
従来より、携帯端末等の電子機器においては、通常、筐体内部において電線による配線が行われている（例えば、特許文献１参照）。
図１６に示すように、特許文献１に記載の送受信装置１００は、上方に開口した筐体１０１を有する。筐体１０１の内部には、バイアス回路基板１０２，１０３、導体板１０４，１０５、および電線としてのフレキシブル基板１０６，１０７が収容されている。フレキシブル基板１０６，１０７は、筐体１０１の側壁１０８，１０９の内面に沿って、縦に取り付けられている。
【０００３】
すなわち、フレキシブル基板１０６，１０７を、筐体１０１の底面１１０に対して垂直方向に配置することにより、筐体１０１の内部において水平方向で占める面積を大きく減少することができる。
これにより、筐体の幅方向（図１６において左右方向）の寸法を短くすることができ、筐体の小型化および軽量化を図っている。
【先行技術文献】
【特許文献】
【０００４】
【特許文献１】実開平１−１７２７３３号公報（第２図）
【発明の概要】
【発明が解決しようとする課題】
【０００５】
前述したような従来の送受信装置においては、例えば、筐体の下端（図１６において紙面直交方向下端）に配置された基板と上端（図１６において紙面直交方向上端）に配置された基板とを、フレキシブル基板を用いて接続する場合がある。この場合に、フレキシブル基板の厚みによる筐体の厚み方向の寸法の増加を回避できる。
しかしながら、フレキシブル基板を縦にして配線した場合、電池やサイドキーや基板等の他の構造物を避けて配線する必要がある。この場合、フレキシブル基板を底面に対して垂直に保持した状態で引き回すためのガイド等が必要になり、その分平面寸法が大きくなるという問題がある。
【０００６】
本発明は、従来の問題を解決するためになされたもので、筐体内の配線により筐体の大型化を招くことのない携帯端末を提供することを目的とする。
【課題を解決するための手段】
【０００７】
本発明の携帯端末は、ケースおよびカバーを有する筐体と、前記筐体に電池パックを収容可能な電池収容部と、前記筐体における前記電池収容部に隣接する位置に収容された第１回路基板と、前記筐体における前記電池収容部に隣接し、かつ、前記第１回路基板とは反対側の位置に収容された第２回路基板と、前記ケースにおける前記電池収容部に隣接する位置に設けられ、前記カバーに向かって突出するケースリブと、前記カバーにおける前記ケースリブに隣接する位置に設けられ、前記ケースに向かって突出するとともに前記第１回路基板と前記第２回路基板との間に連続するカバーリブと、前記カバーリブの突出方向先端部に形成され、かつ、前記カバーリブの連続方向に沿う溝部と、前記溝部に収容され、前記第１回路基板および前記第２回路基板のうちの少なくとも一方に接続される電線と、前記カバーリブの突出方向の先端部に形成されたカバー段差部と、前記ケースリブにおける前記電池収容部とは反対側の基端部に設けられて前記カバー段差部に係合するケース段差部と、前記カバーリブにおける前記ケースリブとは反対側の外面に設けられ、前記カバーリブの突出方向に沿う第１凸部と、前記ケースの内面に設けられ、前記第１凸部に対して前記カバーリブの突出方向に沿って線接触する第２凸部と、前記カバーリブにおける前記ケースリブ側の内面に設けられた爪部と、前記ケースリブにおける前記電池収容部とは反対側の外面に設けられ、前記爪部に係合する爪凹部と、を備えるものである。
【０００８】
また、本発明の携帯端末は、前記カバー段差部は凹状であるとともに、前記ケース段差部が前記カバー段差部に挿入される凸状であり、かつ、前記溝部は前記電線が前記カバー段差部から露出しない溝深さ寸法であるものである。
【０００９】
また、本発明の携帯端末は、前記ケースに設けられ、前記電池収容部に連通する開口と、前記開口を開閉可能に封鎖する電池蓋と、前記電池蓋に設けられた係止片と、前記ケースリブにおける前記電池収容部側の内面に設けられ、前記ケース段差部と重なる位置に、前記係止片が係合する係止凹部とを有するものである。
【００１０】
さらに、本発明の携帯端末は、前記カバーにインサート成形された板金部材を有し、前記溝部が前記板金部材に接触しないものである。
【発明の効果】
【００１１】
本発明は、カバーリブの突出方向の先端部にカバー段差部を形成し、ケースリブにおける電池収容部とは反対側の基端部にケース段差部を設けてカバー段差部に係合させたので、ケースとカバーの長手方向の位置決めができる。また、カバーリブにおけるケースリブとは反対側の外面に、カバーリブの突出方向に沿って第１凸部を設け、ケースの内面において第１凸部に対してカバーリブの突出方向に沿って線接触する第２凸部を設けた。これにより、ケースとカバーの幅方向の位置決めができる。さらに、カバーリブの内面に爪部を設け、ケースリブの外面に爪部に係合する爪凹部を設けたので、ケースとカバーの厚さ方向の位置決めができる。これにより、ケースとカバーとを位置決めする部材等を別途設ける必要がないので、筐体の大型化を防止することができるという効果を有する携帯端末を提供できる。
【図面の簡単な説明】
【００１２】
【図１】（Ａ）は本発明に係る実施形態の携帯端末を上面側から見た斜視図であり、（Ｂ）は下面側から見た斜視図
【図２】携帯端末の下面を上にして見た分解斜視図
【図３】ケースおよびカバーを内面側から見た分解斜視図
【図４】図３中ＩＶ部分の拡大図
【図５】図３中Ｖ部分の拡大図
【図６】（Ａ）は図４中ＶＩ方向から見た斜視図であり、（Ｂ）は（Ａ）中Ｂ−Ｂ位置の断面図
【図７】電池蓋の取付け動作を示す斜視図
【図８】携帯端末をケース側から見た平面図
【図９】図８中ＩＸ−ＩＸ位置の断面図
【図１０】図８中Ｘ−Ｘ位置の断面図
【図１１】図８中ＸＩ−ＸＩ位置の断面図
【図１２】図８中ＸＩＩ−ＸＩＩ位置の断面図
【図１３】図８中ＸＩＩＩ−ＸＩＩＩ位置の断面図
【図１４】図８中ＸＩＶ−ＸＩＶ位置の断面図
【図１５】カバー段差部とケース段差部の形状および相対的位置関係を示す説明図
【図１６】従来の筐体内部に配線を有する送受信装置の断面図
【発明を実施するための形態】
【００１３】
以下、本発明に係る実施形態の携帯端末について、図面を用いて説明する。
図１（Ａ）および（Ｂ）に示すように、本発明に係る実施形態の携帯端末１０としては、例えばスマートフォンを用いることができ、矩形箱状の筐体２０を有する。
なお、以下の説明において、使用者が、操作部を通常操作する状態において上方となる側を上側と云い、使用状態において下方となる側を下側と云うこととする。
【００１４】
筐体２０は、上方に開口した箱状のケース２１と、ケース２１の開口を覆うカバー２２とを有する。
カバー２２は、強度確保のための板金部材４３（図９参照）がインサート成形されており、表面は樹脂で覆われている。カバー２２は、例えば、上面２２２に、表示部および操作部を兼ね備えたタッチパネル２２１を有する。
ケース２１は樹脂により成形されている。ケース２１は、矩形板状の底板２３と、底板２３の外周に沿って全周に設けられている縦壁２４を有する。底板２３における前部下面にはリング状のフレーム２３１が設けられており、フレーム２３１の中心には、カメラ２８（図２参照）用の貫通孔を覆うカメラ用レンズカバー２３２が設けられている。
ケース２１前面の縦壁２４である前縦壁２４１には、外部機器との接続部２６が設けられており、側面である側縦壁２４２には、カメラのシャッター等のサイドキー２５が設けられている。
【００１５】
図２および図３に示すように、ケース２１は、ケース本体２１１と電池蓋５０を有する。ケース本体２１１は、底板２３に電池パック１１（図９参照）用の開口２３３（以後、「電池パック用開口２３３」という。）を有し、電池蓋５０は、電池パック用開口２３３を着脱可能に覆う。
カバー２２は、後部（図２中右側部）に、電池パック１１を収容可能な電池収容部２２３を有する。従って、電池収容部２２３の下側（図２において上側）にはケース２１の電池パック用開口２３３が位置し、電池蓋５０により覆われる。
【００１６】
カバー２２には、電池収容部２２３の前側に隣接して、第１回路基板２７１が取り付けられる。また、カバー２２には、第１回路基板２７１とは反対側で電池収容部２２３の後側（図２において右下側）に隣接して、第２回路基板２７２が取り付けられる。第１回路基板２７１と第２回路基板２７２との間には、電線２９としてのフレキシブル基板２９１および同軸ケーブル２９２が配線されている。フレキシブル基板２９１は、両端が第１回路基板２７１および第２回路基板２７２にコネクタ等を介して接続される。同軸ケーブル２９２は、一端が第１回路基板２７１に接続され、他端が第２回路基板２７２を介してアンテナ（図示省略）に接続される。
なお、ここでは、第２回路基板２７２は、フレキシブル基板２９１の後部２９１Ａと一体に設けられている。
【００１７】
図３に示すように、ケース２１における電池パック用開口２３３に隣接する位置には、カバー２２に向かって突出するケースリブ３１が設けられている。ケースリブ３１は、ケース２１の外周縁に沿って、全周にわたって設けられている。
また、カバー２２においてケースリブ３１に隣接する位置（すなわち、電池収容部２２３に隣接する位置）には、ケース２１に向かって突出するカバーリブ３２が、カバー２２の外周縁に沿って全周にわたって設けられている。カバーリブ３２は、電池収容部２２３側の内カバーリブ３２Ａと、外側の外カバーリブ３２Ｂで構成される（図４および図９参照）。
なお、内カバーリブ３２Ａおよび外カバーリブ３２Ｂを総称する場合は、「カバーリブ３２」で示す。
【００１８】
図４および図１５に示すように、カバーリブ３２の突出方向（図４において上方）の先端部には、全体凹状のカバー段差部３４が形成されている。カバー段差部３４は、内カバーリブ３２Ａに設けられている内カバー段差部３４Ａと、外カバーリブ３２Ｂに設けられている外カバー段差部３４Ｂを有する。
なお、内カバー段差部３４Ａおよび外カバー段差部３４Ｂを総称する場合は、「カバー段差部３４」で示す。
【００１９】
内カバー段差部３４Ａは、カバーリブ３２の長手方向に沿って前後両端に凹部３４１を有するとともに、前後の凹部３４１の間に下側（図１５において上方）に突出する凸部３４２を有する。
外カバー段差部３４Ｂは、矩形状の切欠部３４３を有する。
図１５に示すように、切欠部３４３の深さおよび凸部３４２の深さをＨ１、凹部３４１の深さをＨ２とする。
【００２０】
図５および図１５に示すように、ケースリブ３１における先端部（図５において下端部）には、カバー段差部３４に係合するケース段差部３５が設けられている。ケース段差部３５は全体凸状を呈しており、カバー段差部３４の幅と同等の幅を有する。また、ケース段差部３５は、カバー段差部３４の一対の凹部３４１に嵌合する一対の嵌合部３５１を有するとともに、一対の嵌合部３５１の間には、平坦部３５２が設けられている。
【００２１】
図１５に示すように、ケース段差部３５の平坦部３５２の高さをＨ１、嵌合部３５１の高さをＨ２とする。
従って、ケース２１とカバー２２とを取り付けた際に、ケース段差部３５の嵌合部３５１が内カバー段差部３４Ａの一対の凹部３４１に嵌合する。また、ケース段差部３５の平坦部３５２は内カバー段差部３４Ａの凸部３４２および外カバー段差部３４Ｂの切欠部３４３の下面に当接する。
これにより、ケース２１とカバー２２の筐体２０の長手方向における位置関係および筐体２０の厚み方向の位置関係を特定する。
【００２２】
カバーリブ３２の突出方向先端部には、カバーリブ３２の連続方向に沿って溝部３３が設けられている（図４参照）。溝部３３には、電線２９が収容される。図４においては、電線２９としてのフレキシブル基板２９１が収容されている。また、電池収容部２２３を挟んで反対側の溝部３３には、アンテナ用の電線２９としての同軸ケーブル２９２が収容される（図１２参照）。
これは、フレキシブル基板２９１とアンテナの同軸ケーブル２９２が近いと、ノイズが入ってアンテナ性能が劣化するため、筐体２０における反対側に配置して、できるだけ離している。
【００２３】
また、溝部３３は、カバー２２にインサートされている板金部材４３に接触しないように離して設けられている。
これは、板金部材４３とフレキシブル基板２９１とが近いと、不要共振が発生してアンテナ性能が劣化するのを防止するためである。
なお、前述したようなアンテナ性能の劣化を防止するためには、ＧＮＤ（グランド）強化や、板金部材４３とフレキシブル基板２９１との結合が必要となり、部品点数が増える。このため、フレキシブル基板２９１を離れた位置に配置することで部品点数を増やすことなくアンテナ性能を確保できる。
【００２４】
図９および図１０に示すように、溝部３３は、電線２９（ここでは、フレキシブル基板２９１）がカバー段差部３４から露出しない深さ寸法を有する（図１１および図１４参照）。
なお、溝部３３は、その全長において電線２９の深さ（フレキシブル基板２９１においては幅寸法、同軸ケーブル２９２においては外径寸法）より深い必要はなく、最大深さにおいて電線２９より深く設定する。
【００２５】
図６（Ａ）に示すように、カバーリブ３２において外カバーリブ３２Ｂの外面３２１には、第１凸部３６がカバーリブ３２の突出方向（上下方向）に沿って設けられている。また、図５に示すように、ケース２１の内面２１２には、第２凸部３７がケース２１の厚み方向に沿って設けられている。第１凸部３６と第２凸部３７とは、筐体２０における長手方向の同じ位置に設けられている。
従って、図６（Ｂ）に示すように、ケース２１とカバー２２を取り付けた際に、第１凸部３６と第２凸部３７とは互いに同じ位置にあって対向しており、先端面がカバーリブ３２の突出方向に沿って線接触する。
これにより、ケース２１とカバー２２とを取り付けた際に、ケース２１とカバー２２の幅方向の位置決めを行う。
【００２６】
図２および図４に示すように、カバーリブ３２における内カバーリブ３２Ａの内面３２２には、爪部３８が設けられている。
また、図２および図５に示すように、ケースリブ３１における電池収容部２２３とは反対側の外面３１１（図９参照）には、カバーリブ３２の爪部３８に対応する位置に、爪部３８に係合する爪凹部３９が内面３１２まで貫通して設けられている。
従って、カバー２２をケース２１に取り付ける際には、カバーリブ３２がケース２１の側縦壁２４２とケースリブ３１との間に挿入される。そして、カバーリブ３２の爪部３８が、ケースリブ３１の外面３１１側からケースリブ３１の爪凹部３９に挿入されて係止され、ケース２１とカバー２２とが一体化する（図９および図１３参照）。
【００２７】
図３および図９に示すように、電池蓋５０は、矩形板状の蓋本体５１の上面５１１（図３において下側の面）に、上面５１１の外周縁部に沿って全周に縦リブ５１２が設けられている。
縦リブ５１２は、ケース２１の長手方向に沿って対向する一対の縦リブ５１２Ａ、５１２Ｂと、ケース２１の幅方向に沿って対向する一対の縦リブ５１２Ｃ、５１２Ｄを有する（図３参照）。なお、縦リブ５１２Ａ、５１２Ｂ、５１２Ｃ、５１２Ｄを総称する場合は、「縦リブ５１２」で示す。
【００２８】
図９に示すように、縦リブ５１２の先端は外側に屈曲した止め部５１３が全周にわたって設けられている。
そして、蓋本体５１の上面５１１と、縦リブ５１２と、止め部５１３との間には、Ｏリング５２が係止される。これにより、電池蓋５０を電池パック用開口２３３に取り付けた際に、防水を図っている。
Ｏリング５２はゴム等の弾性部材で輪状に形成されており、全周の長さは縦リブ５１２の全周の長さよりも若干短く形成されている。従って、Ｏリング５２は若干伸びた状態で取り付けられる。
【００２９】
図３および図１０に示すように、ケース２１の長手方向に沿って対向する一方の縦リブ５１２Ａには、上側（図１０において下方）に突出するとともに外向きに突出する係止片５１４が設けられている。
また、ケースリブ３１における電池収容部２２３側の内面３１２において係止片５１４に対応する位置には、係止片５１４が係合する係止凹部４１が設けられている。
【００３０】
図１２に示すように、電池蓋５０においてケース２１の長手方向に沿って対向する他方の縦リブ５１２Ｂには、上側（図１２において下側）に突出するとともに先端に外向きに突出する係止爪５１５を有する係止部５１６が設けられている。係止爪５１５は、蓋本体５１の幅方向中心に対して、縦リブ５１２Ａ側の係止片５１４と対称の位置に設けることができる。
また、ケースリブ３１の内面３１２において係止爪５１５に対応する位置には、係止爪５１５が係合する蓋固定部４２が設けられている。
【００３１】
従って、図７に示すように、電池蓋５０をケース２１の電池パック用開口２３３に取り付ける際には、まず、電池蓋５０の係止片５１４をケース２１の係止凹部４１に差し込む（図７中矢印Ａ、図３および図１０参照）。
次いで、係止片５１４および係止凹部４１をヒンジにして、電池蓋５０を回動させて（図７中矢印Ｂ）、電池蓋５０の係止爪５１５をケースの蓋固定部４２により係止する（図１２参照）。
【００３２】
以上、説明した本発明に係る実施形態の携帯端末１０によれば、ケース２１およびカバー２２を有する筐体２０は、内部に、電池パック１１を収容可能な電池収容部２２３を有する。また、筐体２０は、電池収容部２２３に隣接する位置に収容された第１回路基板２７１と、電池収容部２２３に隣接し、かつ、第１回路基板２７１とは反対側の位置に収容された第２回路基板２７２と、を有する。
ケース２１は、電池収容部２２３に隣接する位置に、カバー２２に向かって突出するケースリブ３１を有する。また、カバー２２は、ケースリブ３１に隣接する位置に、ケース２１に向かって突出するとともに第１回路基板２７１と第２回路基板２７２との間に連続するカバーリブ３２を有する。
カバーリブ３２の突出方向先端部には、カバーリブ３２の連続方向に沿って溝部３３が設けられており、第１回路基板２７１および第２回路基板２７２のうちの少なくとも一方に接続されるフレキシブル基板２９１または同軸ケーブル２９２が収容されている。
【００３３】
そして、カバーリブ３２の先端部にカバー段差部３４を形成し、ケースリブ３１の電池収容部２２３とは反対側の基端部にケース段差部３５を設けて、カバー段差部３４に係合させたので、筐体２０の長手方向の位置決めおよび厚さ方向の位置決めができる。
また、カバーリブ３２におけるケースリブ３１とは反対側の外面３２１に、カバーリブ３２の突出方向に沿って第１凸部３６を設け、ケースリブ３１の内面３１２にカバーリブ３２の突出方向に沿って線接触する第２凸部３７を設けた。そして、第１凸部３６と第２凸部３７とが当接するので、筐体２０の幅方向位置決めができる。
さらに、カバーリブ３２におけるケースリブ３１側の内面３２２に爪部３８を設け、ケースリブ３１における電池収容部２２３とは反対側の外面３１１に、爪部３８に係合する爪凹部３９を設けたので、ケース２１とカバー２２の厚さ方向の位置決めをするとともに、確実に取り付けることができる。
これにより、ケース２１とカバー２２とを位置決めする部材等を別途設ける必要がないので、筐体２０の大型化を防止することができる。
【００３４】
また、溝部３３は、カバー段差部３４から電線２９が露出しない溝深さ寸法を有するので、溝部３３にフレキシブル基板２９１または同軸ケーブル２９２を配線した際に、フレキシブル基板２９１または同軸ケーブル２９２を確実に収容できる。
【００３５】
また、ケース２１は、電池収容部２２３に連通する電池パック用開口２３３を有し、電池パック用開口２３３を封鎖する電池蓋５０が、開閉可能に取り付けられる。電池蓋５０には係止片５１４が設けられており、ケースリブ３１における電池収容部２２３側の内面にはケース段差部３５と重なる位置に、係止片５１４が係合する係止凹部４１が設けられている。
従って、電池蓋５０の係止片５１４を、電池収容部２２３側の係止凹部４１に係止することにより、電池蓋５０を電池パック用開口２３３に位置決めできるので、電池蓋５０を容易にケース２１に取り付けることができる。係止凹部４１はケース段差部３５と重なる位置に設けているため、凹の形成に新たなスペースを必要とせず、サイズを大きくすることなく、係止凹部を形成できる。
【００３６】
さらに、カバー２２は、インサート成形された板金部材４３を有するので、十分な強度が得られる。また、溝部３３は板金部材４３に接触しないようになっているので、ノイズの影響を防止できる。
【００３７】
なお、本発明の携帯端末は、前述した実施形態に限定されるものでなく、適宜な変形，改良等が可能である。
本発明における電線は、ＦＰＣ、同軸ケーブル両方を含むものである。
【産業上の利用可能性】
【００３８】
以上のように、本発明にかかる携帯端末は、カバーリブの突出方向の先端部にカバー段差部を形成し、ケースリブにおける電池収容部とは反対側の基端部にケース段差部を設けてカバー段差部に係合させたので、ケースとカバーの長手方向の位置決めができる。また、カバーリブにおけるケースリブとは反対側の外面に、カバーリブの突出方向に沿って第１凸部を設け、ケースの内面において第１凸部に対してカバーリブの突出方向に沿って線接触する第２凸部を設けた。これにより、ケースとカバーの幅方向位置決めができる。さらに、カバーリブの内面に爪部を設け、ケースリブの外面に爪部に係合する爪凹部を設けたので、ケースとカバーの厚さ方向の位置決めができる。これにより、ケースとカバーとを位置決めする部材等を別途設ける必要がないので、筐体の大型化を防止することができるという効果を有し、筐体内部に配線を有する携帯端末等として有用である。
【符号の説明】
【００３９】
１０  携帯端末
１１  電池パック
２０  筐体
２１  ケース
２１２  内面
２２  カバー
２２３  電池収容部
２３３  電池パック用開口（開口）
２７１  第１回路基板
２７２  第２回路基板
２９  電線
３１  ケースリブ
３１１  外面
３１２  内面
３２  カバーリブ
３２１  外面
３２２  内面
３３  溝部
３４  カバー段差部
３５  ケース段差部
３６  第１凸部
３７  第２凸部
３８  爪部
３９  爪凹部
４１  係止凹部
４３  板金部材
５０  電池蓋
５１４  係止
【図１】
2013106196.tif 000003
【図２】
2013106196.tif 000004
【図３】
2013106196.tif 000005
【図４】
2013106196.tif 000006
【図５】
2013106196.tif 000007
【図６】
2013106196.tif 000008
【図７】
2013106196.tif 000009
【図８】
2013106196.tif 000010
【図９】
2013106196.tif 000011
【図１０】
2013106196.tif 000012
【図１１】
2013106196.tif 000013
【図１２】
2013106196.tif 000014
【図１３】
2013106196.tif 000015
【図１４】
2013106196.tif 000016
【図１５】
2013106196.tif 000017
【図１６】
2013106196.tif 000018